(57)【要約】【課題】本発明は、便利な光源モジュールを提供する。【解決手段】この光源モジュールは、発光ベースと、回路基台と、を具備する。発光ベースは、第１表面及び第１表面の反対側に位置する第２表面を有しており、収納溝と、少なくとも１つの光源と、第１コネクタ及び第２コネクタと、を備える。収納溝は、第１表面に形成される。光源は、収納溝内に設けられる。第１コネクタ、第２コネクタは、第２表面に設けられ、光源と電気的に接続する。回路基台は、回路と、第３コネクタと、第４コネクタと、を備える。第３コネクタ、第４コネクタは、回路基台の表面に設けられ、それぞれ第１コネクタ及び第２コネクタに互いに対応し、回路と電気的に接続する。第１コネクタ、第２コネクタは、それぞれ第３コネクタ、第４コネクタに挿抜可能に互いに嵌合して組み合わせて、使用の柔軟性を向上させる。【選択図】図４
2014220226.tif 000002
【特許請求の範囲】
【請求項１】
第１表面及び前記第１表面の反対側に位置する第２表面を有しており、前記第１表面に形成される収納溝と、前記収納溝内に仕切られて設けられる第１導線及び第２導線と、前記収納溝内の前記第１表面に設けられ、それぞれ前記第１導線及び第２導線に接続される正電極及び負電極を有する少なくとも１つの光源と、それぞれ前記第２表面に設けられ、何れも前記第１導線及び第２導線と電気的に接続する第１コネクタ及び第２コネクタと、を備える発光ベースと、
前記光源を駆動するための回路と、それぞれ前記第２表面上の前記第１コネクタ及び第２コネクタに対応するように設けられ、それぞれ前記回路と電気的に接続する第３コネクタ及び第４コネクタと、を備える回路基台と、
を具備し、
前記第３コネクタ及び第４コネクタのそれぞれは、前記第２表面上の前記第１コネクタ及び前記第２コネクタに対応するように前記回路基台の表面に設けられており、
前記第１コネクタと前記第３コネクタが互いに嵌合して組み合わせ、前記第２コネクタと前記第４コネクタが互いに嵌合して組み合わせて、前記発光ベースと前記回路基台とを電気的に接続させる光源モジュール。
【請求項２】
前記第１コネクタ及び第２コネクタは、それぞれ前記発光ベース上の前記第２表面に突き出て設けられる請求項１に記載の光源モジュール。
【請求項３】
前記第１コネクタ及び第２コネクタの何れも、それぞれ１対の正、負電気入出力端子を含み、前記正電極及び負電極は、それぞれ前記第１導線及び第２導線に電気的に接続される請求項２に記載の光源モジュール。
【請求項４】
前記第３コネクタ及び第４コネクタは、それぞれ前記回路基台の表面に突き出て設けられ、それぞれ開口を含んで、前記第１コネクタ及び第２コネクタがそれぞれ前記第３コネクタ及び第４コネクタを差し込まれて互いに嵌合させ、前記第３コネクタ及び第４コネクタと電気的に接続させることができる請求項１に記載の光源モジュール。
【請求項５】
前記第３コネクタ及び第４コネクタの何れも、１対の正、負電気入出力端子を含む請求項４に記載の光源モジュール。
【請求項６】
前記収納溝は、前記第１表面からなる底面、及びそれぞれ前記収納溝の底面における２つの平行な対向長辺の縁に隣接する２つの側壁を有する請求項１に記載の光源モジュール。
【請求項７】
前記光源は、有機発光ダイオード又は無機発光ダイオードである請求項１に記載の光源モジュール。
【請求項８】
前記収納溝内の前記第１表面に設けられて、前記光源からの光線を反射するための反射層を更に具備する請求項１に記載の光源モジュール。
【請求項９】
前記発光ベースは、アルミニウムストリップで一体成形して作製される請求項１に記載の光源モジュール。
【請求項１０】
前記発光ベースと前記回路基台との間にサンドイッチされる放熱板を更に具備する請求項１〜９のいずれか一項に記載の光源モジュール。
【発明の詳細な説明】
【技術分野】
【０００１】
本発明は、光源モジュールに関し、特に、挿抜可能な光源モジュールに関する。
【背景技術】
【０００２】
時代、科学技術の進歩に伴って、発光ダイオード光源の応用が次第に広くなっている。発光ダイオードの発光基本原理は、電子と正孔の結合に基づいて光として放出することである。発光ダイオードは、更に、無機発光ダイオード及び有機発光ダイオードに大別されることができる。発光ダイオードには、小さな体積、速い反応速度、好適な集束性、長い使用寿命、低い消費電力及び好適な耐震性等の利点がある。
【０００３】
よく見られる発光ダイオードの線状光源の１つとしては、線状発光を形成するために、一般的に複数の発光ダイオードユニットをストリップ状の基板に装設して線状ストリップライトを形成し、これにより発光ダイオードの線状ストリップライトを片側へ光線を射出させて、導光板又はバックライトモジュールに十分な線状光源を提供することができる。
【発明の概要】
【発明が解決しようとする課題】
【０００４】
前記発光ダイオードの線状ストリップライトにおいて、複数の発光ダイオードは、一般的に表面実装技術（Ｓｕｒｆａｃｅ  Ｍｏｕｎｔ  Ｔｅｃｈｎｏｌｏｇｙ；ＳＭＴ）で基板にはんだ付け、更に基板を放熱ゲルや放熱テープによってヒートシンク（Ｈｅａｔ  Ｓｉｎｋ）に固定する。しかしながら、表面実装プロセスには高温ベーキング（２４０〜２６０℃）が必要であり、この温度によりパッケージにおけるパッケージング材料が変化して、パッケージの不安定性が引き起こされることがある。
【課題を解決するための手段】
【０００５】
従って、本発明は、発光ダイオードストリップライトの両端がプラグのような形に設計され、正極、負極がそれぞれプラグの両端に設計され、更に基板及び放熱板がコンセントのような挿抜可能な方式で設計されており、組み立てに寄与し、高温はんだによる損害を避けることができる改良構造を提出する。
【０００６】
本発明は、光源モジュールを提供する。光源モジュールは、発光ベースと、回路基台と、を具備する。発光ベースには光源収納用の収納溝が設けられる。発光ベースに、光源と電気的に接続する第１コネクタ及び第２コネクタが設けられる。一方、回路基台に第３コネクタ及び第４コネクタが設けられ、また第３コネクタ及び第４コネクタと電気的に接続する回路がある。第１コネクタと第３コネクタ、第２コネクタと第４コネクタは、それぞれプラグとコンセントのような構造として形成され、自由に互いに嵌合組み合わせることができる。これにより、自由に挿抜可能な光源モジュールが形成され、繰り返して組み立てられて発光ダイオードの線状光源を形成することができる。従って、表面実装技術の使用回数を減少して、更に従来の発光ダイオードストリップライトにおいて表面実装技術の大量使用によるパッケージ温度が過度に高い欠点を避けることができる。なお、挿抜可能な設計は、更に使用上の利便性を向上させ、組み立てに有利であり、製造コストを低下させて製造歩留まりを向上させる。
【０００７】
本発明の目的を達成するために、本発明の一態様は、光源モジュールを提供する。光源モジュールは、発光ベースと、回路基台と、を具備する。発光ベースは、収納溝と、第１導線と、第２導線と、少なくとも１つの光源と、第１コネクタ及び第２コネクタと、を備える。回路基台は、光源を駆動するための回路と、第３コネクタと、第４コネクタと、を備える。発光ベースは、第１表面及び第１表面の反対側に位置する第２表面を有する。収納溝は、第１表面に形成される。第１導線及び第２導線は、収納溝内に仕切られて設けられる。少なくとも１つの光源は、収納溝内の第１表面に設けられ、それぞれ第１導線及び第２導線に接続される正電極及び負電極を有する。第１コネクタ及び第２コネクタは、それぞれ第２表面に設けられ、何れも第１導線、第２導線と電気的に接続する。第３コネクタ及び第４コネクタは、それぞれ第２表面上の第１コネクタ、第２コネクタの所に対応するように回路基台の表面に設けられ、それぞれ回路と電気的に接続する。第１コネクタと第３コネクタが互いに嵌合して組み合わせ、第２コネクタと第４コネクタが互いに嵌合して組み合わせて、発光ベースと回路基台とを電気的に接続させる。
【０００８】
本発明の一実施例において、第１コネクタ及び第２コネクタは、それぞれ発光ベース上の第２表面に突き出て設けられる。また、第１コネクタ及び第２コネクタの何れも、それぞれ１対の正、負電気入出力端子を含み、各正電極及び負電極は、それぞれ第１導線及び第２導線に電気的に接続される。
【０００９】
第３コネクタ及び第４コネクタは、それぞれ回路基台の表面に突き出て設けられ、それぞれ開口を含んで、第１コネクタ及び第２コネクタを別々に差し込ませて互いに嵌合させ、第３コネクタ及び第４コネクタと電気的に接続させる。第３コネクタ及び第４コネクタの何れも、１対の正、負電気入出力端子を含む。
【００１０】
収納溝は、第１表面からなる底面、及びそれぞれ収納溝の底面における２つの平行な対向長辺の縁に隣接する２つの側壁を有する。光源は、有機発光ダイオード又は無機発光ダイオードであってよい。また、光源モジュールは、収納溝内の第１表面に設けられて、光源からの光線を反射するための反射層を更に具備することができる。また、発光ベースは、アルミニウムストリップで一体成形して作製される。
【００１１】
前記光源モジュールは、発光ベースと回路基台との間にサンドイッチ（ｓａｎｄｗｉｃｈ）される放熱板を更に具備する。
【図面の簡単な説明】
【００１２】
【図１Ａ】本発明の光源モジュールの一実施例を示す分解斜視図である。
【図１Ｂ】図１Ａによる光源の導電配置方式の一実施例を示す模式図である。
【図１Ｃ】図１Ａによる発光ベースと回路基台が組み合わせられる場合を示す部分側面断面図である。
【図２】図１Ａによる光源の一実施例を示す部分斜視模式図である。
【図３】図１Ａによる光源の別の実施例を示す部分斜視模式図である。
【図４】本発明の光源モジュールの別の実施例を示す部分斜視分解図である。
【図５】図４による放熱板の厚さが間隔に等しい場合を示す組合模式図である。
【図６】図５による側面模式図を示す。
【図７】図４による放熱板の厚さが間隔より小さい場合を示す組合模式図である。
【図８】図７による側面模式図を示す。
【発明を実施するための形態】
【００１３】
本発明の実施形態を明確に述べられるように、特に図面を添付して詳しく説明する。
【００１４】
図１Ａ、図１Ｂ、図１Ｃを参照する。図１Ａは、本発明の光源モジュール１００の一実施例を示す分解斜視図である。図１Ｂは、図１Ａによる光源１１２の導電配置方式の一実施例を示す模式図である。図１Ｃは、図１Ａによる発光ベース１１０と回路基台１２０が組み合わせられる場合を示す部分側面断面図である。光源モジュール１００は、発光ベース１１０と、回路基台１２０と、を具備する。発光ベース１１０は、収納溝１１１と、少なくとも１つの光源１１２と、第１コネクタ１１３と、第２コネクタ１１４と、第１導線１１５と、第２導線１１６と、を備える。
【００１５】
回路基台１２０は、回路と、第３コネクタ１２２と、第４コネクタ１２３と、を備える。発光ベース１１０は、第１表面１１７及び第２表面１１８を有する。第１コネクタ１１３及び第２コネクタ１１４は、第２表面１１８に突き出て設けられ、光源１１２と電気的に接続され、その接続方式としては、第１導線１１５及び第２導線１１６を通じてそれぞれ光源１１２の正負端に接続され、更に第１コネクタ１１３及び第２コネクタ１１４に電気的に接続される。第１コネクタ１１３に導電用の１対の正、負電気入出力端子１１３ａ、１１３ｂが設けられ、第２コネクタ１１４に導電用の正、負電気入出力端子１１４ａ、１１４ｂが設けられる。収納溝１１１は、第１表面１１７に形成され、底面１１１ａを有する。光源１１２は、底面１１１ａに設けられる。第３コネクタ１２２及び第４コネクタ１２３は、回路基台１２０の表面１２４に突き出て設けられ、それぞれ第１コネクタ１１３及び第２コネクタ１１４の位置に対応する。第３コネクタ１２２は、開口１２２ｃを有し、第４コネクタ１２３は、開口１２３ｃを有し、これにより、第１コネクタ１１３と第３コネクタ１２２を互いに挿抜可能に嵌合して組み合わせ、第２コネクタ１１４と第４コネクタ１２３を互いに挿抜可能に嵌合して組み合わせる。回路基台１２０の一実施形態として、プリント回路基板のような形を用いることができ、第３コネクタ１２２及び第４コネクタ１２３の何れも回路基台１２０に設けられ、互いに電気的に接続する。第３コネクタ１２２内に導電用の正、負電気入出力端子１２２ａ、１２２ｂが設けられ、第４コネクタ１２３に導電用の正、負電気入出力端子１２３ａ、１２３ｂが設けられる。使用時、電源は、回路基台１２０を通じて正、負電気入出力端子１２２ａ、１２２ｂ及び正、負電気入出力端子１２３ａ、１２３ｂに電力を供給する。発光ベース１１０及び回路基台１２０が互いに嵌合して組み合わせた後、第１コネクタ１１３の正、負電気入出力端子１１３ａと第３コネクタ１２２の正、負電気入出力端子１２２ａが互いに接触し、第２コネクタ１１４の正、負電気入出力端子１１４ａと第４コネクタ１２３の正、負電気入出力端子１２３ａが互いに接触して導通し、第１導線１１５及び第２導線１１６によって、収納溝１１１内に設けられる光源１１２に電力を供給して発光させる。
【００１６】
図１Ｂにおいて、光源１１２として発光ダイオード（図面に電子素子符号で示される）を用い、複数の発光ダイオードが直列接続／並列接続されていてよい。その導電配置方式の１つとして、図１Ｂに示すようなものがある。第１導線１１５及び第２導線１１６は、発光ベース１１０の第１表面１１７の両側に埋設されて、それぞれ負、正電極の接続用に用いられる。各発光ダイオードは、互いに直列接続して線状発光アレイ２４０を形成する。線状発光アレイ２４０は、一端の発光ダイオードが負電極で第１導線１１５に電気的に接続され、他端の発光ダイオードが正電極で第２導線１１６に電気的に接続され、アレイにおけるその他の発光ダイオードが互いに正電極及び負電極で直列接続する。線状発光アレイ２４０を繰り返して伸ばして接続させて線状光源を形成することができる。理解すべきなのは、正電極及び負電極の配置は、本実施例で開示された形式に限定されなく、回路伝導に適応可能な合理的な接続方式であれば、何れも本発明に適用されることができる。
【００１７】
図２を続けて参照する。図２は、図１Ａによる光源１１２の一実施例を示す部分斜視模式図である。光源１１２は、収納溝１１１内に設けられる。光源１１２は、複数の無機発光ダイオードチップからなってよい。無機発光ダイオードチップを用いる場合、複数の無機発光ダイオードチップをそれぞれ互いに電気的に接続させてから、第１導線１１５及び第２導線１１６に接続させることができ、第１導線１１５及び第２導線１１６は、それぞれ正、負電気入出力端子１１３ａ、１１３ｂに電気的に接続される。発光ベース１１０の他側において、第１導線１１５及び第２導線１１６は、それぞれ正、負電気入出力端子１１４ａ、１１４ｂに電気的に接続され、使用する時、正、負電気入出力端子１１３ａ、１１３ｂ及び１１４ａ、１１４ｂを通じて光源１１２に導電して発光させる。また、更に、光源１１２からの光線を反射し、発光輝度をより強くするための反射層を収納溝１１１内に増設することができる。
【００１８】
図３を続けて参照する。図３は、図１Ａによる光源１１２の別の実施例を示す部分斜視模式図である。光源１１２は、有機発光ダイオードからなってもよい。有機発光ダイオードの面発光の特性のため、大面積の有機発光ダイオードを用いることで、必要な光源１１２を形成することができる。光源１１２は、直接収納溝１１１に嵌め込まれて、正、負電気入出力端子１１３ａ、１１３ｂに電気的に接続され、他側が正、負電気入出力端子１１４ａ、１１４ｂに電気的に接続されることができる（図１Ａを同時に参照する）。使用時、正、負電気入出力端子１１３ａ、１１３ｂ及び１１４ａ、１１４ｂを通じて光源１１２に導電して発光させることができる。
【００１９】
図４を続けて参照する。図４は、本発明の光源モジュールの別の実施例を示す部分斜視分解図である。光源モジュール２００は、発光ベース２１０と、放熱板２３０と、回路基台２２０と、を具備する。発光ベース２１０は、収納溝２１１と、少なくとも１つの光源２１２と、複数のコネクタ２１３と、を備える。回路基台２２０は、光源回路と、複数のコネクタ２２２と、を備える。発光ベース２１０及び回路基台２２０上の各素子の間の連結作動関係は、図１Ａ〜図１Ｃに示した光源モジュール１００の構造に類似しているため、繰り返して説明しない。本実施例において、発光ベース２１０と回路基台２２０との間に、放熱板２３０が設けられることで異なっている。放熱板２３０の一側に貫通するスルーホール２３１があり、発光ベース２１０のコネクタ２１３がスルーホール２３１を透過させて回路基台２２０のコネクタ２２２に互いに嵌合して組み合わせるようにし、放熱板が前記発光ベースと前記回路基台との間にサンドイッチされることができる。
【００２０】
図５及び図６を続けて参照する。図５は、図４による放熱板の厚さが間隔に等しい場合を示す組合模式図である。図６は、図５による側面模式図を示す。図５及び図６から分かるように、放熱板２３０の厚さｄが間隔ｔに等しい場合、発光ベース２１０、回路基台２２０及び放熱板２３０の三者が緊密に貼り合わせられる状況となる。
【００２１】
図７及び図８を続けて参照する。図７は、図４による放熱板２３０の厚さｄが間隔ｔより小さい場合を示す組合模式図である。図８は、図７による側面模式図を示す。放熱板２３０の厚さｄが間隔ｔより小さい場合、発光ベース２１０と回路基台２２０が互いに嵌合して組み合わせた後、放熱板２３０を発光ベース２１０に密着させて放熱効果を達する。この場合、放熱板２３０と回路基台２２０との間に別の間隔ｔ１が形成される。放熱板２３０の厚さｄ又はコネクタの高さｔを変えることでｔ１の大きさを調整・制御することにより、異なる放熱効果を達することができる。
【００２２】
本発明は、光源モジュールを提出する。光源は、発光ベースに設けられる。発光ベースは、更に光源と電気的に接続するコネクタを有する。一方、回路基台にコネクタが設けられ、更に回路基台上の光源回路と電気的に接続する。発光ベースに設けられるコネクタと回路基台に設けられるコネクタが、互いに挿抜可能に嵌合して組み合わせる。嵌合して組み合わせた後、コネクタ上の正、負電気入出力端子を通じて互いに導通して、光源を発光させることができる。このような挿抜可能な設計によって、表面実装技術の使用回数を減少して、パッケージングの時に生じる高温による材料の破壊を避け、また組み立てに有利であり、製造コストを低下させ、製造歩留まりを向上させることができる。
【符号の説明】
【００２３】
１００、２００：光源モジュール
１１０、２１０：発光ベース
１１１、２１１：収納溝
１１１ａ：底面
１１２、２１２：光源
１１３：第１コネクタ
１１３ａ、１１３ｂ、１１４ａ、１１４ｂ、１２２ａ、１２２ｂ、１２３ａ、１２３ｂ：正、負電気入出力端子
１１４：第２コネクタ
１１５：第１導線
１１６：第２導線
１１７：第１表面
１１８：第２表面
１２０、２２０：回路基台
１２２：第３コネクタ
１２２ｃ、１２３ｃ：開口
１２３：第４コネクタ
１２４：表面
２１３、２２２：コネクタ
２３０：放熱板
２３１：スルーホール
２４０：線状発光アレイ
ｄ：厚さ
ｔ、ｔ１：間隔
【図１Ａ】
2014220226.tif 000003
【図１Ｂ】
2014220226.tif 000004
【図１Ｃ】
2014220226.tif 000005
【図２】
2014220226.tif 000006
【図３】
2014220226.tif 000007
【図４】
2014220226.tif 000008
【図５】
2014220226.tif 000009
【図６】
2014220226.tif 000010
【図７】
2014220226.tif 000011
【図８】
2014220226.tif 000012
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
第１表面及び前記第１表面の反対側に位置する第２表面を有しており、前記第１表面に形成される収納溝と、前記収納溝内に仕切られて設けられる第１導線及び第２導線と、前記収納溝内の前記第１表面に設けられ、それぞれ前記第１導線及び第２導線に接続される正電極及び負電極を有する少なくとも１つの光源と、それぞれ前記第２表面に設けられ、何れも前記第１導線及び第２導線と電気的に接続する第１コネクタ及び第２コネクタと、を備える発光ベースと、
前記光源を駆動するための回路と、それぞれ前記第２表面上の前記第１コネクタ及び第２コネクタに対応するように設けられ、それぞれ前記回路と電気的に接続する第３コネクタ及び第４コネクタと、を備える回路基台と、
を具備し、
前記第３コネクタ及び第４コネクタのそれぞれは、前記第２表面上の前記第１コネクタ及び前記第２コネクタに対応するように前記回路基台の表面に設けられており、
前記第１コネクタと前記第３コネクタとが互いに嵌合して組み合わされて前記第１コネクタと前記第３コネクタとが電気的に接続され、前記第２コネクタと前記第４コネクタとが互いに嵌合して組み合わされて前記第２コネクタと前記第４コネクタとが電気的に接続されることで、前記発光ベースと前記回路基台とを電気的に接続させる光源モジュール。
【請求項２】
前記第１コネクタ及び第２コネクタは、それぞれ前記発光ベース上の前記第２表面に突き出て設けられる請求項１に記載の光源モジュール。
【請求項３】
前記第１コネクタ及び第２コネクタの何れも、それぞれ１対の正、負電気入出力端子を含み、前記正電極及び負電極は、それぞれ前記第１導線及び第２導線に電気的に接続される請求項２に記載の光源モジュール。
【請求項４】
前記第３コネクタ及び第４コネクタは、それぞれ前記回路基台の表面に突き出て設けられ、それぞれ開口を含んで、前記第１コネクタ及び第２コネクタがそれぞれ前記第３コネクタ及び第４コネクタを差し込まれて互いに嵌合させ、前記第３コネクタ及び第４コネクタと電気的に接続させることができる請求項１に記載の光源モジュール。
【請求項５】
前記第３コネクタ及び第４コネクタの何れも、１対の正、負電気入出力端子を含む請求項４に記載の光源モジュール。
【請求項６】
前記収納溝は、前記第１表面からなる底面、及びそれぞれ前記収納溝の底面における２つの平行な対向長辺の縁に隣接する２つの側壁を有する請求項１に記載の光源モジュール。
【請求項７】
前記光源は、有機発光ダイオード又は無機発光ダイオードである請求項１に記載の光源モジュール。
【請求項８】
前記収納溝内の前記第１表面に設けられて、前記光源からの光線を反射するための反射層を更に具備する請求項１に記載の光源モジュール。
【請求項９】
前記発光ベースは、アルミニウムストリップで一体成形して作製される請求項１に記載の光源モジュール。
【請求項１０】
前記発光ベースと前記回路基台との間にサンドイッチされる放熱板を更に具備する請求項１〜９のいずれか一項に記載の光源モジュール。